(57)【特許請求の範囲】
【請求項１】
情報配信装置から無線区間を介してそのサービスエリア内の複数の無線端末に対してマルチキャスト情報の配信サービスを行うようにしたマルチキャストサービス提供方法において、
情報配信装置は、配信サービス対象のマルチキャスト情報を識別する情報とそのマルチキャスト情報の配信に用いる無線チャネルとの対応関係を管理し、
情報配信装置は、その対応関係を示す管理情報をサービスエリア内の無線端末に対して所定の無線チャネルを用いて報知し、
サービスエリア内の無線端末は、その管理情報に基づいて対応する無線チャネルにて、情報配信装置から希望するマルチキャスト情報の配信サービスを受けるようにしたマルチキャストサービス提供方法。
【請求項２】
請求項１記載のマルチキャストサービス提供方法において、
無線端末は、上記管理情報に含まれないマルチキャスト情報についての配信サービスを要求するためのサービス要求信信号を情報配信装置に送信し、
情報配信装置は、上記サービス要求信号を無線端末から受信したときに、該要求に係るマルチキャスト情報を識別する情報とそのマルチキャスト情報の配信に用いる無線チャネルとの対応関係を上記管理情報に追加すると共に、
該無線チャネルを用いて該要求に係るマルチキャスト情報の配信サービスを開始するようにしたマルチキャストサービス提供方法。
【請求項３】
請求項１または２記載のマルチキャストサービス提供方法において、
情報配信装置は、マルチキャスト情報の配信サービスの継続の必要性を問い合わせるための継続確認信号をサービスエリア内の無線端末に報知し、
無線端末は、情報配信装置から継続確認信号を受信した際に、マルチキャスト情報の配信サービスを継続的に受けるために所定の応答信号を情報配信装置に送信し、
情報配信装置は、上記継続確認信号を送信した後に上記所定の応答信号を受信したときに、その問い合わせに係るマルチキャスト情報の配信サービスを継続するようにしたマルチキャストサービス提供方法。
【請求項４】
請求項３記載のマルチキャストサービス提供方法において、
情報配信装置は、上記継続確認信号に対して所定時間内にいずれの無線端末からもその応答信号が受信されない場合に、その問い合わせに係るマルチキャスト情報の配信サービスを中止するようにしたマルチキャストサービス提供方法。
【請求項５】
請求項３または４記載のマルチキャストサービス提供方法において、
上記情報配信装置は、上記継続確認信号を、配信サービス対象のマルチキャスト情報を識別する情報とそのマルチキャスト情報の配信に用いる無線チャネルと共に、上記所定の無線チャネルを用いてサービスエリア内の無線端末に報知するようにしたマルチキャストサービス提供方法。
【請求項６】
請求項３乃至５いずれか記載のマルチキャストサービス提供方法において、
上記情報配信装置は、配信サービス対象のマルチキャスト情報を識別する情報とそのマルチキャスト情報の配信に用いる無線チャネルとの対応関係を管理し、その対応関係を示す管理情報をサービスエリア内の無線端末に対して上記所定の無線チャネルを用いて報知するものであって、
上記配信サービスを中止するマルチキャスト情報を識別する情報とそのマルチキャスト情報の配信に用いた無線チャネルとの対応関係を上記管理情報から削除するようにしたマルチキャストサービス提供方法。
【請求項７】
請求項３乃至６いずれか記載のマルチキャストサービス提供方法において、
無線端末は、マルチキャスト情報の配信サービスを受けることを中止する際に、受信中止信号を情報配信装置に送信し、
情報配信装置は、上記受信中止信号を無線端末から受信したときに、その配信サービスの受信中止に係るマルチキャスト情報の配信サービスの継続の必要性を問い合わせるための継続確認信号をサービスエリア内の無線端末に報知するようにしたマルチキャストサービス提供方法。
【請求項８】
情報配信装置から無線区間を介してそのサービスエリア内の複数の無線端末に対してマルチキャスト情報の配信サービスを行うようにしたマルチキャストサービス提供システムにおいて、
情報配信装置は、配信サービス対象のマルチキャスト情報を識別する情報とそのマルチキャスト情報の配信に用いる無線チャネルとの対応関係を管理する管理手段を有し、
情報配信装置は、その対応関係を示す管理情報をサービスエリア内の無線端末に対して所定の無線チャネルを用いて報知する報知制御手段を有し、
サービスエリア内の無線端末は、その管理情報に基づいて対応する無線チャネルにて、情報配信装置から希望するマルチキャスト情報の配信サービスを受けるようにしたマルチキャストサービス提供システム。
【請求項９】
請求項８記載のマルチキャストサービス提供システムにおいて、
無線端末は、上記管理情報に含まれないマルチキャスト情報についての配信サービスを要求するためのサービス要求信号を情報配信装置に送信するサービス要求手段を有し、
情報配信装置は、上記サービス要求信号を無線端末から受信したときに、該要求に係るマルチキャスト情報を識別する情報とそのマルチキャスト情報の配信に用いる無線チャネルとの対応関係を上記管理情報に追加する第一の管理情報更新手段を有し、
該第一の管理情報更新手段による管理情報の追加と共に、該無線チャネルを用いて該要求に係るマルチキャスト情報の配信サービスを開始するようにしたマルチキャストサービス提供システム。
【請求項１０】
請求項８または９記載のマルチキャストサービス提供システムにおいて、
情報配信装置は、マルチキャスト情報の配信サービスの継続の必要性を問い合わせるための継続確認信号をサービスエリア内の無線端末に報知するサービス継続確認手段を有し、
無線端末は、情報配信装置から継続確認信号を受信した際に、マルチキャスト情報の配信サービスを継続的に受けるために所定の応答信号を情報配信装置に送信する応答信号送信制御手段を有し、
更に、情報配信装置は、上記サービス継続確認手段により上記継続確認信号を送信した後に上記所定の応答信号を受信したときに、その問い合わせに係るマルチキャスト情報の配信サービスを継続するサービス継続制御手段を有するマルチキャストサービス提供システム。
【請求項１１】
請求項１０記載のマルチキャストサービス提供システムにおいて、
情報配信装置は、上記継続確認信号に対して所定時間内にいずれの無線端末からもその応答信号が受信されない場合に、その問い合わせに係るマルチキャスト情報の配信サービスを中止するサービス中止制御手段を有するマルチキャストサービス提供システム。
【請求項１２】
請求項１０または１１記載のマルチキャストサービス提供システムにおいて、
上記サービス継続確認手段は、上記継続確認信号を、配信サービス対象のマルチキャスト情報を識別する情報とそのマルチキャスト情報の配信に用いる無線チャネルと共に、上記所定の無線チャネルを用いてサービスエリア内の無線端末に報知するようにしたマルチキャストサービス提供システム。
【請求項１３】
請求項１０乃至１２いずれか記載のマルチキャストサービス提供システムにおいて、
上記情報配信装置は、配信サービス対象のマルチキャスト情報を識別する情報とそのマルチキャスト情報の配信に用いる無線チャネルとの対応関係を管理し、その対応関係を示す管理情報をサービスエリア内の無線端末に対して上記所定の無線チャネルを用いて報知するものであって、
上記配信サービスを中止するマルチキャスト情報を識別する情報とそのマルチキャスト情報の配信に用いた無線チャネルとの対応関係を上記管理情報から削除する第二の管理情報更新手段を有するマルチキャストサービス提供システム。
【請求項１４】
請求項１０乃至１３いずれか記載のマルチキャストサービス提供システムにおいて、
無線端末は、マルチキャスト情報の配信サービスを受けることを中止する際に、受信中止信号を情報配信装置に送信する中止制御手段を有し、
情報配信装置のサービス継続確認手段は、上記受信中止信号を無線端末から受信したときに、その配信サービスの受信中止に係るマルチキャスト情報の配信サービスの継続の必要性を問い合わせるための継続確認信号をサービスエリア内の無線端末に報知するようにしたマルチキャストサービス提供システム。
【請求項１５】
無線区間を介してそのサービスエリア内の複数の無線端末に対してマルチキャスト情報の配信サービスを行う情報配信装置において、
配信サービス対象のマルチキャスト情報を識別する情報とそのマルチキャスト情報の配信に用いる無線チャネルとの対応関係を管理する管理手段を有し、
その対応関係を示す管理情報をサービスエリア内の無線端末に対して所定の無線チャネルを用いて報知するための報知制御手段を有し、
サービスエリア内の無線端末が、その管理情報に基づいて対応する無線チャネルにて、情報配信装置から希望するマルチキャスト情報の配信サービスを受けられるようにした情報配信装置。
【請求項１６】
請求項１５記載の情報配信装置において、
上記管理手段は、配信サービスを行っていないマルチキャスト情報に関するサービス要求信号を無線端末から受信したときに、上記管理手段にて管理される該要求に係るマルチキャスト情報を識別する情報とそのマルチキャスト情報の配信に用いる無線チャネルとの対応関係を上記管理情報に追加する第一の管理情報更新制御手段を有し、
該第一の管理情報更新制御手段による管理情報の追加と共に、該無線チャネルを用いて該要求に係るマルチキャスト情報の配信サービスが開始されるようにした情報配信装置。
【請求項１７】
請求項１５または１６記載の情報配信装置において、
マルチキャスト情報の配信サービスの継続の必要性を問い合わせるための継続確認信号をサービスエリア内の無線端末に報知するサービス継続確認手段と、
上記サービス継続確認手段により上記継続確認信号を送信した後に上記所定の応答信号を受信したときに、その問い合わせに係るマルチキャスト情報の配信サービスを継続するサービス継続制御手段を有する情報配信装置。
【請求項１８】
請求項１７記載の情報配信装置において、
該サービス継続確認手段による継続確認信号に対して所定時間内にいずれの無線端末からもその応答信号が受信されない場合に、その問い合わせに係るマルチキャスト情報の配信サービスを中止するサービス中止制御手段を有する情報配信装置。
【請求項１９】
請求項１７または１８記載の情報配信装置において、
上記サービス継続確認手段は、上記継続確認信号を、配信サービス対象のマルチキャスト情報を識別する情報とそのマルチキャスト情報の配信に用いる無線チャネルと共に、上記所定の無線チャネルを用いてサービスエリア内の無線端末に報知するようにした情報配信装置。
【請求項２０】
請求項１７乃至１９記載の情報配信装置において、
配信サービス対象のマルチキャスト情報を識別する情報とそのマルチキャスト情報の配信に用いる無線チャネルとの対応関係を管理する上記管理手段を有し、該管理手段にて管理される当該対応関係を示す管理情報をサービスエリア内の無線端末に対して上記所定の無線チャネルを用いて報知するものであって、
上記配信サービスを中止するマルチキャスト情報を識別する情報とそのマルチキャスト情報の配信に用いた無線チャネルとの対応関係を上記管理情報から削除する第二の管理情報更新制御手段を有する情報配信装置。
【請求項２１】
請求項１７乃至２０いずれか記載の情報配信装置において、
上記サービス継続確認手段は、マルチキャスト情報の配信サービスを受ける無線端末から当該配信サービスを受けることの中止を表す受信中止信号を受信したときに、その配信サービスの受信中止に係るマルチキャスト情報の配信サービスの継続の必要性を問い合わせるための継続確認信号をサービスエリア内の無線端末に報知するようにした情報配信装置。
【請求項２２】
情報配信装置から無線区間を介してマルチキャスト情報の配信サービスを受ける無線端末において、
所定の無線チャネルにて情報配信装置から送信される当該情報配信装置から配信サービス対象のマルチキャスト情報を識別する情報とそのマルチキャスト情報の配信に用いる無線チャネルとの対応関係を示す管理情報を受信するサービス状況受信制御手段を有し、
該サービス状況受信制御手段により受信された管理情報に基づいて希望するマルチキャスト情報の配信サービスを対応する無線チャネルにて情報配信装置から受けるようにした無線端末。
【請求項２３】
請求項２２記載の無線端末において、
上記管理情報に含まれないマルチキャスト情報についての配信サービスを要求するためのサービス要求信信号を情報配信装置に送信するサービス要求手段を有し、
情報配信装置が、上記サービス要求信号を無線端末から受信したときに、該要求に係るマルチキャスト情報を識別する情報とそのマルチキャスト情報の配信に用いる無線チャネルとの対応関係を上記管理情報に追加と共に、該無線チャネルを用いて該要求に係るマルチキャスト情報の配信サービスを開始できるようにした無線端末。
【請求項２４】
請求項２２または２３記載の無線端末において、
情報配信装置からマルチキャスト情報の配信サービスの継続の必要性を問い合わせるための継続確認信号を受信した際に、マルチキャスト情報の配信サービスを継続的に受けるために所定の応答信号を情報配信装置に送信する応答信号送信制御手段を有する無線端末。
【請求項２５】
請求項２４記載の無線端末において、
マルチキャスト情報の配信サービスを受けることを中止する際に、受信中止信号を情報配信装置に送信する中止制御手段を有し、
情報配信装置が、上記受信中止信号を無線端末から受信したときに、その配信サービスの受信中止に係るマルチキャスト情報の配信サービスの継続の必要性を問い合わせるための継続確認信号をサービスエリア内の無線端末に報知できるようにした無線端末。
【発明の詳細な説明】
【０００１】
【発明の属する技術分野】
本発明は、マルチキャストサービス提供方法及びシステムに係り、詳しくは、情報配信装置から無線区間を介してそのサービスエリア内の無線端末に対してマルチキャスト情報の配信サービスを行うようにしたマルチキャストサービス提供方法及びシステムに関する。
【０００２】
また、本発明は、上記のようなマルチキャストサービス提供システムに適用される情報配信装置に関する。
【０００３】
更に、本発明は、上記のようなマルチキャストサービス提供方システムに適用される無線端末に関する。
【０００４】
【従来の技術】
近年、有線のネットワークを利用するインターネットを介して音楽や映像の放送的な配信や、複数のユーザによる協同作業や遠隔会議を行うマルチキャストアプリケーションの実証が、種々のマルチキャストサービスのグループ管理を行うＩＧＭＰ（Internet Group Management Protocol）を利用して行われている。  一方、携帯電話機やＰＨＳ端末などの携帯電話端末や、所謂ノートパソコンなどの携帯情報端末の普及により、無線によるマルチキャストサービスの提供に対する需要が高くなることが想定される。ネットワークのエンドユーザのＰＣ端末及び該ＰＣ端末が存在するサブネットのルータがＩＧＭＰに対応している場合、伝送路の有線、無線に関わらず、マルチキャストサービスの提供が可能となる。  そこで、上記のような無線によるマルチキャストサービスの提供を行うシステムとして、例えば、図１１に示すようなシステムが考えられる。この例は、無線ＬＡＮのアクセスポイントとなるＩＧＭＰ対応の無線基地局２０を用いている。この場合、ＩＰネットワークＮＷ及びルータ３０を介して提供される各種サーバ５１、５２、５３からのマルチキャスト情報Ａ、Ｂ、Ｃが無線基地局２０から配信される。
【０００５】
例えば、この無線ＬＡＮのサービスエリアＥｓ（LAN）に在圏する無線ＬＡＮ接続用通信機とＰＣ端末とで構成される無線端末１０（１）、１０（２）、１０（３）がそれぞれ異なるマルチキャスト情報Ａ、Ｂ、Ｃを要求すると、無線基地局２０は、その要望される全てのマルチキャスト情報Ａ、Ｂ、Ｃをブロードキャストする。そして、各無線端末１０（１）、１０（２）、１０（３）は、そのブロードキャストされる全てのマルチキャスト情報Ａ、Ｂ、Ｃを受信することになる。そして、各無線端末（ＰＣ端末）において、必要なマルチキャスト情報が受信された情報から抽出されて利用される。
【０００６】
また、上記のような無線によるマルチキャストサービスの提供するシステムとして、例えば、図１２に示すようなシステムが考えられる。この例は、既存のＰＤＣ（Personal Digital Cellular）やＰＨＳのような公衆網ＮＷに接続された無線基地局２０を用いてマルチキャストサービスを行う構成となっている。この場合、公衆網ＮＷを介してサーバ５０から提供されるマルチキャスト情報Ａが無線基地局２０からそのサービスエリアＥｓ内に在圏する各無線端末１０（１）、10（２）、１０（３）に配信される。このマルチキャスト情報Ａの配信に際して、各無線端末１０（１）、１０（２）、１０（３）と無線基地局２０との間には、それぞれ独立した送信チャネルが設定される。
【０００７】
更に、上記のような無線によるマルチキャストサービスを提供するシステムとして、例えば、図１３に示すようなシステムが考えられる。この例は、高度無線呼出しシステム（FLEX-TD）においてマルチキャストサービスを行うものである。このシステムでは、無線基地局２０は、公衆網ＮＷを介して種々のサーバ５１、５２、５３から提供されるマルチキャスト情報をサービスエリア（無線ゾーン）Ｅｓにサービスを希望する無線端末が在圏するか否かに依存せずに、放送のように各マルチキャスト情報毎に設定された無線チャネルを用いて送信する。そして、各無線端末１０（１）、１０（２）、１０（３）は、予め契約したマルチキャスト情報だけを受信することができる。例えば、無線基地局２０から放送されるマルチキャスト情報Ａ、Ｂ、Ｃのうち、マルチキャスト情報Ａを契約した無線端末１０（１）は、そのマルチキャスト情報Ａのみを受信し、マルチキャスト情報Ａ及びＣを契約した無線端末１０（２）は、そのマルチキャスト情報Ａ及びＣのみを受信し、また、マルチキャスト情報Ｃを契約した無線端末１０（３）は、そのマルチキャスト情報Ｃのみを受信する。
【０００８】
【発明が解決しようとする課題】
図１２に示すように公衆網ＮＷに接続された無線基地局２０を用いてマルチキャストサービスを行うシステムでは、同一のサービスエリアＥｓ内において同一のマルチキャスト情報を送信する場合であっても、無線端末毎に独立した無線チャネルを設定しなければならないため、無線リソースの有効的な利用が図れない。
【０００９】
また、図１１に示すように無線ＬＡＮのサービスエリアＥｓ（LAN）において無線基地局２０がマルチキャスト情報を配信する場合、無線端末毎に独立した無線チャネルは設定しないものの、無線基地局２０からブロードキャストされる複数のマルチキャスト情報の混在したデータストリームを各無線端末（携帯電話機とＰＣ端末）が受信して保存し、必要な情報のみを抽出している。このため、各無線端末は、大容量のマルチキャスト情報を受信した場合には、バッファや処理に高い負荷がかけられてしまう。
【００１０】
更に、図１３に示すような高度無線呼出システムを利用したマルチキャスト情報の配信システムでは、各無線端末は契約したマルチキャスト情報のみを受信することができるが、マルチキャスト情報の受信契約をした無線端末がサービスエリアＥｓに在圏しない場合であっても、無線基地局２０はそのマルチキャスト情報の配信サービスを継続しなければならず、無線リソースの有効的な利用が図れない。
【００１１】
そこで、本発明の第一の課題は、無線リソースの有効的な利用が図れると共に、各端末において必要とするマルチキャスト情報の配信サービスだけをうけることができるようにしたマルチキャストサービス提供方法及びシステムを提供することである。
【００１２】
また、本発明の第二の課題は、そのようなマルチキャストサービス提供システムに適用される情報配信装置を提供することである。
【００１３】
更に、本発明の第三の課題は、そのようなマルチキャストサービス提供システムに適用される無線端末を提供することである。
【００１４】
【課題を解決するための手段】
上記第一の課題を解決するため、本発明は、情報配信装置から無線区間を介してそのサービスエリア内の複数の無線端末に対してマルチキャスト情報の配信サービスを行うようにしたマルチキャストサービス提供方法において、情報配信装置は、配信サービス対象のマルチキャスト情報を識別する情報とそのマルチキャスト情報の配信に用いる無線チャネルとをサービスエリア内の無線端末に対して所定の無線チャネルを用いて報知し、サービスエリア内の無線端末は、その報知された無線チャネルにて情報配信装置からマルチキャスト情報の配信サービスを受けるように構成される。
【００１５】
このようなマルチキャストサービス提供方法では、無線端末は、情報配信装置から報知される無線チャネルを用いてマルチキャスト情報の配信サービスを受ける。従って、マルチキャスト情報の配信サービスに用いられる無線チャネルは、情報配信装置から報知される無線チャネルだけにすることができ、また、その無線チャネルにて配信サービスは、その報知された無線チャネルに対応したマルチキャスト情報だけとすることができる。
【００１６】
上記情報配信装置から報知されるマルチキャスト情報を識別する情報は、無線端末においてその情報に基づき提供されるマルチキャスト情報を識別できるものであれば、特に限定されず、マルチキャスト情報の種類や、その提供チャネル（マルチキャストグループアドレス）、情報の元始的な提供元となるサーバを特定する情報、マルチキャスト情報のタイトルなどであってもよい。
【００１７】
配信サービス対象の複数のマルチキャスト情報を識別する情報とそれぞれのマルチキャスト情報の配信に用いる無線チャネルとの関係を間違えなく無線端末に報知できるという観点から、本発明は、請求項１に記載されるように、上記マルチキャストサービス提供方法において、情報配信装置は、配信サービス対象のマルチキャスト情報を識別する情報とそのマルチキャスト情報の配信に用いる無線チャネルとの対応関係を管理し、その対応関係を示す管理情報をサービスエリア内の無線端末に対して上記所定の無線チャネルを用いて報知し、サービスエリア内の無線端末は、その管理情報に基づいて対応する無線チャネルにて、情報配信装置から希望するマルチキャスト情報の配信サービスを受けるように構成することができる。
【００１８】
現在配信サービス対象のマルチキャスト情報以外の新たなマルチキャスト情報の配信サービスを無線端末にて受けることができるという観点から、本発明は、請求項２に記載されるように、上記マルチキャストサービス提供方法において、無線端末は、上記管理情報に含まれないマルチキャスト情報についての配信サービスを要求するためのサービス要求信信号を情報配信装置に送信し、情報配信装置は、無線端末から上記サービス要求信号を無線端末から受信したときに、該要求に係るマルチキャスト情報を識別する情報とそのマルチキャスト情報の配信に用いる無線チャネルとの対応関係を上記管理情報に追加すると共に、該無線チャネルを用いて該要求に係るマルチキャスト情報の配信サービスを開始するように構成することができる。
【００１９】
情報配信装置において、マルチキャスト情報配信サービスの提供の継続の必要性が判断できるという観点から、本発明は、請求項３に記載されるように、上記各マルチキャストサービス提供方法において、情報配信装置は、マルチキャスト情報の配信サービスの継続の必要性を問い合わせるための継続確認信号をサービスエリア内の無線端末に報知し、無線端末は、情報配信装置から継続確認信号を受信した際に、マルチキャスト情報の配信サービスの継続的に受けるために所定の応答信号を情報配信装置に送信し、情報配信装置は、上記継続確認信号を送信した後に上記所定の応答信号を受信したときに、その問い合わせに係るマルチキャスト情報の配信サービスを継続するように構成することができる。
【００２０】
また、配信サービス対象のマルチキャスト情報を希望する無線端末がサービスエリア内に存在しない場合に、その配信サービスを中止することができるようにするという観点から、本発明は、上記マルチキャストサービス提供方法において、情報配信装置は、上記継続確認信号に対して所定時間内にいずれの無線端末からもその応答信号が受信されない場合に、その問い合わせに係るマルチキャスト情報の配信サービスを中止するように構成することができる。
【００２１】
上記継続確認信号を送信するための無線リソースを有効に使用できるという観点から、本発明は、請求項５に記載されるように、上記各マルチキャストサービス提供方法において、上記情報配信装置は、上記継続確認信号を、配信サービス対象のマルチキャスト情報を識別する情報とそのマルチキャスト情報の配信に用いる無線チャネルと共に、上記所定の無線チャネルを用いてサービスエリア内の無線端末に報知するように構成することができる。
【００２２】
マルチキャスト情報を識別する情報とそのマルチキャスト情報の配信に用いる無線チャネルとの対応関係を示す管理情報を常に最新のサービス提供状態に対応したものとすることができるという観点から、本発明は、請求項６に記載されるように上記各マルチキャストサービス提供方法において、上記情報配信装置は、配信サービス対象のマルチキャスト情報を識別する情報とそのマルチキャスト情報の配信に用いる無線チャネルとの対応関係を管理し、その対応関係を示す管理情報をサービスエリア内の無線端末に対して上記所定の無線チャネルを用いて報知するものであって、上記配信サービスを中止するマルチキャスト情報を識別する情報とそのマルチキャスト情報の配信に用いた無線チャネルとの対応関係を上記管理情報から削除するように構成することができる。
【００２３】
無線端末からのマルチキャスト情報の配信サービスの受信中止に対して適正に対応することができるという観点から、本発明は、請求項７に記載されるように、上記各マルチキャストサービス提供方法において、無線端末は、マルチキャスト情報の配信サービスを受けることを中止する際に、受信中止信号を情報配信装置に送信し、情報配信装置は、上記受信中止信号を無線端末から受信したときに、その配信サービスの受信中止に係るマルチキャスト情報の配信サービスの継続の必要性を問い合わせるための継続確認信号をサービスエリア内の無線端末に報知するように構成することができる。
【００２４】
また、上記第一の課題を解決するため、本発明は、請求項８に記載されるように、情報配信装置から無線区間を介してそのサービスエリア内の複数の無線端末に対してマルチキャスト情報の配信サービスを行うようにしたマルチキャストサービス提供システムにおいて、情報配信装置は、配信サービス対象のマルチキャスト情報を識別する情報とそのマルチキャスト情報の配信に用いる無線チャネルとの対応関係を管理する管理手段を有し、情報配信装置は、その対応関係を示す管理情報をサービスエリア内の無線端末に対して所定の無線チャネルを用いて報知する報知制御手段を有し、サービスエリア内の無線端末は、その管理情報に基づいて対応する無線チャネルにて、情報配信装置から希望するマルチキャスト情報の配信サービスを受けるように構成される。
【００２５】
また、上記第二の課題を解決するため、本発明は、請求項１５に記載されるように、無線区間を介してそのサービスエリア内の複数の無線端末に対してマルチキャスト情報の配信サービスを行う情報配信装置において、配信サービス対象のマルチキャスト情報を識別する情報とそのマルチキャスト情報の配信に用いる無線チャネルとの対応関係を管理する管理手段を有し、その対応関係を示す管理情報をサービスエリア内の無線端末に対して所定の無線チャネルを用いて報知するための報知制御手段を有し、サービスエリア内の無線端末が、その管理情報に基づいて対応する無線チャネルにて、情報配信装置から希望するマルチキャスト情報の配信サービスを受けられるように構成される。
【００２６】
更に、上記第三の課題を解決するため、本発明は、請求項２２に記載されるように、情報配信装置から無線区間を介してマルチキャスト情報の配信サービスを受ける無線端末において、所定の無線チャネルにて情報配信装置から送信される当該情報配信装置から配信サービス対象のマルチキャスト情報を識別する情報とそのマルチキャスト情報の配信に用いる無線チャネルとの対応関係を示す管理情報を受信するサービス状況受信制御手段を有し、該サービス状況受信制御手段により受信された管理情報に基づいて希望するマルチキャスト情報の配信サービスを対応する無線チャネルにて情報配信装置から受けるように構成される。
【００２７】
【発明の実施の形態】
以下、本発明の実施の形態を図面に基づいて説明する。
【００２８】
本発明の実施の一形態に係るマルチキャストサービス提供方法の適用されるシステムは基本的に図１に示すように構成される。
【００２９】
図１において、無線基地局２０は、例えば、ＩＰ網を介して提供される情報Ａ（以下、マルチキャスト情報という）をサービスエリアＥｓに在圏する各無線端末１０に配信する。各無線端末１０（携帯電話機、通信機能を有するＰＣ端末など）は、無線基地局２０から配信されるマルチキャスト情報を受信することができる。
【００３０】
無線端末２０は、例えば、図２に示すように構成される。
【００３１】
図２において、この無線基地局２０は、送受信機２１、マルチキャスト情報格納部２２、ネットワーク制御部２３及び情報配信制御部２４を有している。送受信機２１は、サービスエリアＥｓ内の各無線端末１０と無線通信を行う。マルチキャスト情報格納部２２は、ネットワーク制御部２３がネットワークから受信した配信すべきマルチキャスト情報を格納する。情報配信制御部２４は、マルチキャスト情報格納部２２に格納されたマルチキャスト情報を送受信機２１からサービスエリアＥｓ内の各無線端末１０に配信するための制御を実行する。
【００３２】
情報配信制御部２４は、図３に示すようなマルチキャスト情報チャネルテーブルによりマルチキャストサービスの管理を行っている。このマルチキャスト情報チャネルテーブルには、配信サービスを行っているマルチキャスト情報チャネルを識別するマルチキャストグループアドレスと、各マルチキャスト情報チャネルに対応したマルチキャスト情報の送信に使用される送信チャネル及び無線基地局２０内で管理される情報チャネル番号との関係が記述される。
【００３３】
配信サービスを行っているマルチキャスト情報チャネルを識別するマルチキャストグループアドレスは、配信サービスの内容を識別しており、例えば、ＩＰ（Internet Protocol）ネットワークのマルチキャストプロトコルであるＩＧＭＰ（Internet Group Management Protocol）で使用されるマルチキャストアドレスと同様のものである。しかし、無線基地局２０がＩＰネットワーク以外のネットワークに接続されている場合、マルチキャストサービスを提供するサーバ及びネットワークが識別できるアドレスであれば、マルチキャストグループアドレスとして用いることができる。
【００３４】
送信チャネルは、無線基地局２０と各無線端末１０で識別できるチャネル識別子にて表され、マルチキャスト情報チャネルに対応したマルチキャスト情報を送信するためのチャネルを指定する。アクセス方式が例えば時分割多元接続方式（ＴＤＭＡ）の場合、無線フレーム内のタイムスロット番号及び周波数番号によりチャネル識別子が構成される。また、無線チャネルの識別に周波数やタイムスロットを必要としないシステムや、他の識別子が必要なシステムもあり得る。このような場合には、システムに適した識別法に従って無線チャネルを特定するための識別子を使用すればよい。
【００３５】
無線基地局２０と各無線端末との間の無線区間におけるチャネル割当ての状況に応じて送信チャネルを変更する場合には、このマルチキャスト情報チャネルテーブルの送信チャネルの項の記述が更新される。
【００３６】
情報チャネル番号は、無線基地局２０がマルチキャストグループアドレスに対して付与する番号である。この情報チャネル番号は、無線基地局２０のサービスエリアＥｓ内だけでユニークな番号であり、無線端末１０がハンドオーバ等で他のサービスエリアに移動して他の無線基地局への接続切替えがなされた場合には、新たな接続先の無線基地局にて管理される情報チャネル番号が用いられる。
【００３７】
この情報チャネル番号は、前述したようにマルチキャストグループアドレスに対応しており、無線基地局２０と各無線端末１０との間のマルチキャスト情報チャネル、即ち、配信サービスの内容の簡易な識別子として用いることができる。マルチキャストサービスを行う無線基地局２０は、例えば、図４に示す手順に従って処理を行う。この処理は、主に無線基地局２０の情報配信制御部２４にて行われる。
【００３８】
無線基地局２０は、マルチキャストサービスを行っている状態及びそれを行っていない状態のいずれかの状態となる。図４において、無線基地局２０がマルチキャストサービス中であるか否かが判定される（Ｓ１）。マルチキャストサービスが行われている場合（Ｓ１でＹＥＳ）、そのサービス中のマルチキャスト情報チャネルに関する情報を示すマルチキャスト情報チャネルテーブル（図３参照）の送信タイミングか否かが監視され（Ｓ２）、そのタイミングになると、当該マルチキャスト情報チャネルテーブルがサービスエリアＥｓ内の全ての無線端末１０に対して報知される（Ｓ３）。
【００３９】
そして、マルチキャストサービス要求信号がいずれかの無線端末１０から受信されたか否かが判定される（Ｓ４）。いずれの無線端末１０からもマルチキャストサービス要求信号が受信されない場合（Ｓ４でＮＯ）、一連の処理が終了する。以後、無線端末１０からのマルチキャストサービス要求信号を受信しない限り、上述した処理（Ｓ１〜Ｓ４）が繰返し実行される。その結果、サービスエリアＥｓ内の各無線端末１０は、無線基地局２０から送信されるマルチキャスト情報テーブルを受信することにより、その時点で配信されるサービスの内容及びそのサービスを受けるための無線チャネルを知ることができる。
【００４０】
上記マルチキャスト情報テーブルの送信（Ｓ３）は、無線基地局２０にて使用可能な無線チャネルを用いることによってなされる。この使用可能な無線チャネルとは、無線基地局２０が採用するチャネル割当て方法に従って決定される無線チャネルであればよい。このマルチキャスト情報チャネルテーブルの送信に用いられる無線チャネルは、例えば、止まり木チャネルを用いて無線基地局２０からサービスエリアＥｓ内の各無線端末１０に報知される。各無線端末１０は、その報知された無線チャネルを用いて無線基地局２０からのマルチキャスト情報テーブルを受信する。
【００４１】
なお、マルチキャスト情報チャネルテーブルを一定間隔の周期で無線基地局２０から送信することも可能である。この場合は、送信周期に関する制御情報も止まり木チャネルを用いて通知することができる。
【００４２】
また、マルチキャスト情報チャネルテーブルの送信に用いられる無線チャネルを固定することもできる。この場合、無線基地局２０と各無線端末１０との間で既知の無線チャネルを予め取り決めておけば、止まり木チャネルにマルチキャスト情報チャネルの送信に用いられる無線チャネルの情報を含める必要がない。
【００４３】
図４に戻って、無線基地局２０がマルチキャストサービスを行っていな状態（Ｓ１においてＮＯ）、または、上述した処理（Ｓ１〜Ｓ４）の過程で、新たにサービスを希望する無線端末からマルチキャストサービス要求信号（マルチキャストグループアドレスを含む）を受信すると（Ｓ４でＹＥＳ）、上記マルチキャスト情報チャネルテーブル（図３参照）を参照して要求に係るマルチキャストグループのサービスが既に行われているか否かが判定される（Ｓ５）。もし、そのサービスが既に行われていれば（Ｓ５でＹＥＳ）、一連の処理を終了し、次にマルチキャストサービス要求信号を受信するまで、上述した処理（Ｓ１〜Ｓ４）を繰返し実行する。
【００４４】
一方、その要求に係るサービスがまだなされていない場合（Ｓ５でＮＯ）、その要求に係るマルチキャストサービスを特定するマルチキャストグループアドレス、そのサービスに用いられる無線チャネル（送信チャネル）及び情報チャネルが新たにマルチキャスト情報チャネルテーブルに登録されることにより、当該マルチキャスト情報チャネルテーブルが更新される（Ｓ６）。そして、無線基地局２０は、その決められた無線チャネルを用いて上記要求に係るサービスに対応したマルチキャスト情報の送信を開始する（Ｓ７）。以後、上述した処理（Ｓ１〜Ｓ４）が繰返し実行される。その過程で、上記のように更新されたマルチキャスト情報チャネルテーブルが無線基地局２０からサービスエリアＥｓ内の各無線端末１０に送信される（Ｓ２、Ｓ３）。
【００４５】
無線基地局２０が上述したような手順に従って処理を行ってマルチキャストサービスを行っている過程で、各無線端末１０は、例えば、図５に示す手順に従って処理を行う。
【００４６】
図５において、無線端末１０は、まず、止まり木チャネルを受信する（Ｓ１１）。無線基地局２０は、この止まり木チャネルを用いてシステムに関する各種制御情報と共に、無線基地局２０がマルチキャストサービスの提供中か否かを表す情報及びマルチキャストサービスの提供中の場合に上記マルチキャスト情報チャネルテーブルの送信に用いられる無線チャネルやその送信周期などに関する情報を送信している。
【００４７】
無線端末１０がマルチキャストサービスの受信を希望する場合（Ｓ１２でＹＥＳ）、自端末が無線基地局２０から既に何らかのマルチキャストサービスを受けているか否かが判定される（Ｓ１３）。自端末がまだ無線基地局２０からマルチキャストサービスを受けていない場合（Ｓ１３でＮＯ）、更に、上記止まり木チャネルにて報知される情報に基づいて無線基地局２０がマルチキャストサービスの提供中であるか否かが判定される（Ｓ１４）。無線基地局２０がマルチキャストサービスの提供中である場合（Ｓ１４でＹＥＳ）、上記止まり木チャネルにて報知されたマルチキャスト情報チャネルテーブルの送信周期に基づいて当該マルチキャスト情報チャネルテーブルの受信タイミングであるか否かが判定される（Ｓ１５）。そのタイミングになると、上記止まり木チャネルにて報知された無線チャネルを用いて無線基地局２０から送信されるマルチキャスト情報チャネルテーブルが受信される（Ｓ１６）。
【００４８】
無線端末１０は、このマルチキャスト情報チャネルテーブルを受信すると、そのマルチキャスト情報テーブルに自端末で希望するマルチキャスト情報チャネル（マルチキャストグループ）が登録されているか否かを判定する（Ｓ１７）。この希望するマルチキャスト情報チャネルが登録されている場合、即ち、希望するマルチキャスト情報チャネルの配信サービスが既に行われている場合（Ｓ１７でＹＥＳ）、無線端末１０は、当該マルチキャスト情報チャネルテーブルにおいて当該希望するマルチキャスト情報チャネルに対応した送信チャネルを用いてマルチキャスト情報チャネルの配信情報（マルチキャスト情報）を受信する（Ｓ１８）。
【００４９】
上記の処理の過程で、無線端末１０が既に何らかのマルチキャストサービスを受けている場合（Ｓ１３でＹＥＳ）、そのサービスを受けつつ、上述した手順（Ｓ１５〜Ｓ１８）に従って、マルチキャスト情報を受信するための無線チャネルを用いてその新たな要求に係るマルチキャスト情報チャネルの配信情報が受信される。
【００５０】
また、一方、無線基地局２０がマルチキャストサービスの提供中でない場合（Ｓ１４でＮＯ）、または、無線基地局２０がマルチキャストサービスの提供中であっても希望するマルチキャスト情報チャネルのサービスを行っていない場合（Ｓ１７でＮＯ）、無線端末１０は、その希望するマルチキャスト情報チャネルについてのマルチキャストサービス要求信号を無線基地局２０に送信し（Ｓ１９）、無線基地局２０がその希望されるマルチキャスト情報チャネルのサービスを開始するのを待つ。そして、無線端末１０は、そのマルチキャストサービス要求信号により更新された（図４におけるＳ４〜Ｓ６参照）マルチキャスト情報チャネルテーブルを無線基地局２０から受信すると（Ｓ１６）、そのマルチキャスト情報チャネルテーブルにて指定される無線チャネル（送信チャネル）を用いて新たなマルチキャスト情報の配信情報を受信する（Ｓ１７、Ｓ１８）。
【００５１】
上記のように、無線端末１０は、止まり木チャネルを用いて報知される無線チャネルにてマルチキャスト情報チャネルテーブルを無線基地局２０から受信するようにしているので、無線基地局２０においてマルチキャスト情報チャネルテーブルを送信すべき無線チャネルを変更しても、無線端末１０は、常にマルチキャスト情報チャネルテーブルを受信できる。また、無線基地局２０においてマルチキャスト情報チャネルの情報（マルチキャスト情報）を送信すべき送信チャネルが変更になっても、その変更がマルチキャスト情報チャネルテーブルに反映されるので、無線端末１０は、そのマルチキャスト情報チャネルテーブルにて指定された無線チャネルにて希望のマルチキャスト情報チャネルの配信情報を受信することができる。
【００５２】
なお、図５に示す手順に従った処理において、無線端末１０がマルチキャストサービスを希望しない場合（Ｓ１２でＮＯ）、そのまま一連の処理は終了する。その結果、マルチキャストサービスを特に希望しない無線端末１０は、止まり木チャネルを受信する状態を継続する（Ｓ１１、Ｓ１２）。
【００５３】
図４に示す手順に従った無線基地局２０の処理及び図５に示す手順に従った無線端末１０での処理により、上記システムでは、マルチキャスト情報は図６に示すように無線基地局２０から無線端末１０に配信されることになる。即ち、止まり木チャネルで報知される送信チャネル▲１▼を用いてマルチキャスト情報チャネルテーブルが無線端末に送信され、更に、そのマルチキャスト情報チャネルテーブルに登録された送信チャネル▲２▼を用いてそのマルチキャスト情報チャネルテーブルに登録されたマルチキャスト情報チャネル（マルチキャストグループ）の配信情報が無線端末１０に送信される。
【００５４】
上記のようなシステムでは、マルチキャストサービスを行う無線基地局２０は、マルチキャストサービスの提供中に、マルチキャスト情報チャネルに対応したマルチキャスト情報をサービスエリアＥｓ内で受信している全ての無線端末がそのマルチキャストサービスの継続を希望しなくなった場合、そのマルチキャストサービスを中止するため、例えば、図７に示す手順に従って処理を行う。
【００５５】
図７において、サービス継続確認信号の送信タイミングであるか否かが判定される（Ｓ２１）。このサービス継続確認信号の送信タイミングであると判定されると、無線基地局２０からサービス継続確認信号がサービスエリアＥｓ内の各無線端末１０に送信される（Ｓ２２）。その後、応答待ち時間が設定されるタイマがスタートされる（Ｓ２３）。この状態で、当該タイマがタイムアウトしたか否かが判定されつつ（Ｓ２４）、いずれかの無線端末から当該サービス継続確認信号に対する応答信号が受信されるか否かが判定される（Ｓ２５）。ここで、上記タイマのタイムアウト前にいずれかの無線端末からその応答信号を受信すると、無線基地局２０は、その応答信号に係るマルチキャスト情報チャネルの配信サービスを継続した状態にする（Ｓ２６）。上記タイマがタイムアウトするまでの間、無線端末から各サービスに関するサービス継続確認信号に対する応答信号を受信する毎に、その応答信号に係るマルチキャスト情報チャネルの配信サービスを継続した状態にする（Ｓ２４、Ｓ２５、Ｓ２６）。
【００５６】
一方、上記タイマがタイムアウトすると（Ｓ２４でＹＥＳ）、サービス継続確認信号に対して応答信号の返送がなかったマルチキャスト情報チャネルの配信サービスを中止する（Ｓ２７）。そして、この中止したマルチキャスト情報チャネルに関する情報をマルチキャスト情報チャネルテーブル（図３参照）から削除することにより、当該マルチキャスト情報チャネルテーブルの更新を行う（Ｓ２８）。
【００５７】
無線基地局２０における上記サービス継続確認信号の送信は、次のように行うことができる。
【００５８】
例えば、止まり木チャネルにおいて、サービスの継続を確認しようとするマルチキャストグループアドレスをサービス継続確認信号として記述することができる。この場合、無線端末は、止まり木チャネルを該サービス継続確認信号の送信周期毎に受信することになる。
【００５９】
また、マルチキャスト情報チャネルテーブルの送信チャネルと同一の送信チャネルを用いてサービス継続確認信号を送信することができる。この場合、マルチキャスト情報チャネルテーブルの送信周期と同一の周期でサービス継続確認信号が送信される。また、この場合、図８に示すように、サービス継続確認信号としてのフラグをマルチキャスト情報チャネルテーブルに含めることができる。マルチキャスト情報チャネルテーブルを送信する際に、サービスの継続を確認するタイミングとなるマルチキャストグループに対応したフラグは「１」にセットされ、そのタイミングでないマルチキャストグループに対応したフラグは「０」にリセットされる。
【００６０】
更に、マルチキャスト情報テーブルとは独立に別の無線チャネルを用いてサービス継続確認信号を送信することもできる。この場合、サービス継続確認信号の送信周期も独立に設定することが可能であり、例えば、止まり木チャネルにて該サービス継続確認信号の送信チャネルの指定がなされる。
【００６１】
上記のようにして無線基地局から送信されるサービス継続確認信号を受信する各無線端末は、例えば、図９に示す手順に従って処理を行う。
【００６２】
図９において、サービス確認信号を受信したときに（Ｓ３１でＹＥＳ）、現在受けているマルチキャストサービスの継続を希望する場合（Ｓ３２でＹＥＳ）、無線端末は、ランダムな時間設定が可能なランダムタイマをスタートさせる（Ｓ３３）。そして、そのランダム時間の設定されたランダムタイマがタイムアウトすると（Ｓ３４でＹＥＳ）、応答信号を無線基地局２０に送信する。
【００６３】
無線基地局２０から送信されるサービス継続確認信号が、特定のマルチキャスト情報チャネルに対しての信号であっても、無線基地局２０がサービス提供中の全てのマルチキャスト情報チャネルに対しての信号であっても、応答信号には、サービスを希望する全てのマルチキャスト情報チャネルを特定するための識別子（マルチキャストグループアドレスまたは情報チャネル番号など）が含まれる。
【００６４】
更に、マルチキャストサービスを受けている無線端末が積極的にそのサービスの受信を中止する場合、例えば、図１０に示す手順に従って処理を行う。即ち、無線基地局２０から送信されるマルチキャスト情報チャネルに対応したマルチキャスト情報の受信を中断し（Ｓ４１）、サービス受信中止信号を無線基地局２０に送信する（Ｓ４２）。このサービス受信中止信号には、サービスの受信を中止する全てのマルチキャスト情報チャネルを特定する識別子（マルチキャストグループアドレスまたは情報チャネル番号など）を含む。
【００６５】
このようなサービス受信中止信号をいずれかの無線端末から受信した無線基地局２０は、そのサービス受信中止信号に含まれる識別子（マルチキャストグループアドレスまたは情報チャネル番号など）で特定されるマルチキャスト情報チャネルについてのサービス継続確認信号をサービスエリアＥｓ内の各無線端末に送信し、図７に示す手順に従ってサービス継続の必要性について確認する。そして、いずれの無線端末からも応答信号が受信されなければ、無線基地局２０は、そのマルチキャスト情報チャネルのサービスを中止する。
【００６６】
上述した例において、無線端末１０から無線基地局２０に送信される制御信号は、サービス要求信号、応答信号、サービス受信中止信号の３つである。これらの信号は、無線端末の電源投入時、最初に無線基地局２０にアクセスする際に用いられるランダムアクセスチャネル、もしくはユニキャスト通信中であればパケット中のユーザデータや制御情報送信用チャネルを用いて送信することができる。
【００６７】
また、上記の例では、無線基地局２０から無線端末１０への下り信号のアクセス方式として時分割多元接続方式（ＴＤＭＡ）を用いたが、符号分割多元接続方式（ＣＤＭＡ）も、識別子を拡散符号などに代えるだけで同様に適用できる。
【００６８】
上記各例において、図４に示すステップＳ３での処理が報知制御手段に対応し、図５に示すステップＳ１６での処理がサービス状況受信制御手段に対応する。また、図３及び図８に示すマルチキャスト情報チャネルテーブルが管理手段に対応する。
【００６９】
更に、図５に示すステップＳ１９での処理がサービス要求手段に対応し、図４に示すステップＳ６での処理が第一の管理情報更新手段に対応する。また、図７に示すステップＳ２２での処理がサービス継続確認手段に対応し、図９に示すステップＳ３５での処理が応答信号送信制御手段に対応し、図７に示すステップＳ２６での処理がサービス継続制御手段に対応する。また、図７に示すステップＳ２７での処理がサービス中止制御手段に対応する。図７に示すステップＳ２８での処理が第二の管理情報更新手段に対応する。更にまた、図１０に示すステップＳ４２での処理が中止制御手段に対応する。
【００７０】
【発明の効果】
以上、説明してきたように、請求項１乃至１６記載の本願発明に係るマルチキャストサービス提供方法及びシステムによれば、マルチキャスト情報の配信サービスに用いられる無線チャネルは、情報配信装置から報知される無線チャネルだけにすることができ、また、その無線チャネルにて配信サービスは、その報知された無線チャネルに対応したマルチキャスト情報だけとすることができる。従って、無線リソースの有効的な利用が図れると共に、各端末において必要とするマルチキャスト情報の配信サービスだけを受けることができるようになる。
【００７１】
また、請求項１７乃至２４記載の本願発明によれば、そのようなマルチキャストサービス提供システムに適用される情報配信装置を提供することができる。
【００７２】
更に、請求項２５乃至２８記載の本願発明によれば、そのようなマルチキャストサービス提供システムに適用される無線端末を提供することができる。
【図面の簡単な説明】
【図１】本発明の実施の一形態に係るマルチキャストサービス提供方法の提供されるシステムの基本構成の一例を示す図である。
【図２】図１に示すシステムにおける無線基地局の構成例を示すブロック図である。
【図３】無線基地局からサービス提供のなされているマルチキャスト情報チャネルを管理するためのマルチキャスト情報チャネルテーブルの構成例を示す図である。
【図４】サービス提供を行う無線基地局での処理手順の一例を示すフローチャートである。
【図５】無線基地局からサービス提供を受ける無線端末での処理手順の一例を示すフローチャートである。
【図６】無線基地局がマルチキャストサービスを行う際に送信する各種情報とその送信チャネルとの関係の一例を示す図である。
【図７】無線基地局が無線端末でのサービス継続を確認するための処理手順の一例を示すフローチャートである。
【図８】サービス継続信号をマルチキャスト情報チャネルテーブルと同一チャネルにて送信する場合のマルチキャスト情報チャネルテーブルの構成例を示す図である。
【図９】無線端末がサービス継続を希望することを無線基地局に通知するための処理手順の一例を示すフローチャートである。
【図１０】無線端末がマルチキャスト情報の受信を中止する際の処理手順の一例を示すフローチャートである。
【図１１】無線区間に適用した従来のマルチキャストサービス提供システムの第一の例を示す図である。
【図１２】無線区間に適用した従来のマルチキャストサービス提供システムの第二の例を示す図である。
【図１３】無線区間に適用した従来のマルチキャストサービス提供システムの第三の例を示す図である。
【符号の説明】
１０  無線端末
２０  無線基地局
２１  送受信機
２２  マルチキャスト情報格納部
２３  ネットワーク制御部
２４  情報配信制御部
【図１】
0003717748.tif 000002
【図２】
0003717748.tif 000003
【図３】
0003717748.tif 000004
【図４】
0003717748.tif 000005
【図５】
0003717748.tif 000006
【図６】
0003717748.tif 000007
【図７】
0003717748.tif 000008
【図８】
0003717748.tif 000009
【図９】
0003717748.tif 000010
【図１０】
0003717748.tif 000011
【図１１】
0003717748.tif 000012
【図１２】
0003717748.tif 000013
【図１３】
0003717748.tif 000014